(57)【特許請求の範囲】
【請求項１】
１つの流出口と周方向に並ぶ複数の流入口とを有するます本体と、前記ます本体内に装着される仕切体とを備え、建物の床下に設置される合流ますであって、
前記仕切体は、
前記複数の流入口のいずれか１つに向けて選択的に取り付け可能であって、選択した流入口から前記ます本体内に流入する排水を前記流出口に導く１つの仕切板と、
前記仕切板を前記ます本体内の所定位置で保持するための保持部とを有し、
前記仕切板は、前記選択した流入口に対向する主面を有し、
前記主面は、前記選択した流入口から流入する排水を案内して、当該排水の流れ方向を下向きに変化させ、
前記仕切板は、前記ます本体の中心軸よりも前記選択した流入口側の範囲内に納まるように前記ます本体内に配置され、当該ます本体の中心軸よりも当該選択した流入口と反対側の範囲の位置において、当該選択した流入口以外の流入口から当該ます本体内に流入する排水の流れを遮ることがない、合流ます。
【請求項２】
前記仕切体は、前記ます本体に対して周方向に回転可能に装着され、当該仕切体が回転することによって前記仕切板の周方向位置が変えられる、請求項１記載の合流ます。
【請求項３】
前記仕切板は、前記保持部に着脱自在に取り付けられ、当該保持部に対する取り付け位置を変えることによって周方向位置が変えられる、請求項１記載の合流ます。
【請求項４】
１つの流出口と周方向に並ぶ複数の流入口とを有するます本体と、前記ます本体内に装着される仕切体とを備え、建物の床下に設置される合流ますであって、
前記仕切体は、
前記複数の流入口のいずれか１つに向けて選択的に取り付け可能であって、選択した流入口から前記ます本体内に流入する排水を前記流出口に導く１つの仕切板と、
前記仕切板を前記ます本体内の所定位置で保持するための保持部とを有し、
前記仕切板は、前記選択した流入口に対向する主面を有し、
前記主面は、前記選択した流入口から流入する排水を案内して、当該排水の流れ方向を下向きに変化させ、
前記仕切体は、前記１つの仕切板とは独立に、２階以上の階からの排水が流入する前記流入口に向けて選択的に取り付けられる第２の仕切板をさらに有する、合流ます。
【請求項５】
１つの流出口と周方向に並ぶ複数の流入口とを有するます本体と、前記ます本体内に装着される仕切体とを備え、建物の床下に設置される合流ますであって、
前記仕切体は、
前記複数の流入口のいずれかに向けて選択的に取り付け可能であって、当該流入口から前記ます本体内に流入する排水を前記流出口に導く仕切板と、
前記仕切板を前記ます本体内の所定位置で保持するための保持部とを有し、
前記保持部は、前記仕切板の上方を覆うように当該仕切板の上端部を保持する板状部材であって、厚み方向に貫通する開口部を有する、合流ます。
【請求項６】
前記開口部は、前記流入口の軸線方向から側方にずれた位置において前記保持部に形成される、請求項５記載の合流ます。
【請求項７】
前記保持部は、前記開口部に向かう下り勾配となる傾斜面を有する、請求項５または６記載の合流ます。
【請求項８】
前記ます本体の上部点検口に設けられる蓋、および
前記蓋と前記仕切体との間に設けられて当該仕切体の上方を覆う有孔遮閉板をさらに備える、請求項１ないし７のいずれかに記載の合流ます。
【発明の詳細な説明】
【技術分野】
【０００１】
この発明は合流ますに関し、特にたとえば、１つの流出口と周方向に並ぶ複数の流入口とを有するます本体と、ます本体内に装着される仕切体とを備え、建物の床下に設置される、合流ますに関する。
【背景技術】
【０００２】
従来のこの種の合流ますの一例が特許文献１に開示されている。特許文献１の技術は、ます本体に１つの流出口と周方向に並ぶ複数の流入口とを有する合流ますである。ます本体の内部には、仕切板を有する仕切体が設けられる。仕切板は、各流入口と対向する主面を有し、各流入口の間を区画する。
【０００３】
また、従来のこの種の合流ますの他の一例が特許文献２に開示されている。特許文献２の技術は、ます本体に周方向に並ぶ１つの下流側管接続部（流出口）と複数の上流側管接続部（流入口）とを有する集水ますである。ます本体の内部には、仕切板が挿入される。仕切板は、横断面Ｖ字状に形成され、閉端を流出口に向け、開端を浴室に繋がる流入口に向けて設けられる。また、平板状の仕切板も開示されている。この仕切板は、流出口に対向する流入口の管軸と流出口の管軸とを結ぶ線に対して平行となるように設けられる。
【先行技術文献】
【特許文献】
【０００４】
【特許文献１】特許第４８９５８９２号［Ｅ０３Ｆ  ５／１０］
【特許文献２】特許第４２３８１４９号［Ｅ０３Ｃ  １／１２］
【発明の開示】
【発明が解決しようとする課題】
【０００５】
近年、汚物を流す水の量を少なくした節水型トイレが普及している。２階に設置された節水型トイレからの排水（汚水）を流す排水管では、その高低差により排水に勢いがつくので汚物等の固形物がスムーズに搬送されるが、１階に設置された節水型トイレに接続された排水管においては、排水に勢いがないので固形物がスムーズに搬送され難い。このため、排水管内に堆積した固形物が塊となって合流ますに流入してくる場合がある。
【０００６】
しかしながら、特許文献１の技術では、すべての流入口に向けて仕切板が設けられているので、合流ます内の流路が狭くなる。このため、ます本体内に固形物が塊となって流入すると、仕切板とます本体との間に固形物が引っかかり、合流ます延いては排水管が詰まる可能性がある。
【０００７】
また、特許文献２の技術も同様に、集水ます内の流路が狭くなるので、合流ます延いては排水管が詰まる可能性がある。特に、平板状の仕切板では、その端縁に固形物が引っかかり易い。このため、特許文献２の集水ますは、固形物が流れるトイレおよび台所からの排水管には接続不可とされている。
【０００８】
それゆえに、この発明の主たる目的は、新規な、合流ますを提供することである。
【０００９】
この発明の他の目的は、排水を適切に排出できる、合流ますを提供することである。
【課題を解決するための手段】
【００１０】
本発明は、上記の課題を解決するために、以下の構成を採用した。
【００１１】
第１の発明は、１つの流出口と周方向に並ぶ複数の流入口とを有するます本体と、ます本体内に装着される仕切体とを備え、建物の床下に設置される合流ますであって、仕切体は、複数の流入口のいずれか１つに向けて選択的に取り付け可能であって、選択した流入口からます本体内に流入する排水を流出口に導く１つの仕切板と、仕切板をます本体内の所定位置で保持するための保持部とを有し、仕切板は、選択した流入口に対向する主面を有し、主面は、選択した流入口から流入する排水を案内して、当該排水の流れ方向を下向きに変化させ、仕切板は、ます本体の中心軸よりも選択した流入口側の範囲内に納まるようにます本体内に配置され、当該ます本体の中心軸よりも当該選択した流入口と反対側の範囲の位置において、当該選択した流入口以外の流入口から当該ます本体内に流入する排水の流れを遮ることがない、合流ますである。
【００１２】
第１の発明では、合流ますは、ます本体と、ます本体内に装着される仕切体とを備え、建物の床下などに設置される。ます本体は、１つの流出口と周方向に並ぶ複数の流入口とを有する。たとえば、流出口には、生活排水を外部に排出する排水主管が接続され、流入口には、トイレや風呂などの住設機器と繋がる排水枝管が接続される。仕切体は、１つの仕切板と、その仕切板をます本体内の所定位置で保持する保持部とを含む。仕切板は、複数の流入口のいずれかに向けて選択的に取り付け可能であり、選択した流入口から流入する排水を案内して、当該排水の流れ方向を下向きに変化させる主面を有する。また、仕切板は、ます本体の中心軸よりも選択した流入口側の範囲内に納まるように、ます本体内に配置される。
【００１３】
仕切板は、たとえば、２階以上の階に設置されるトイレや風呂と繋がる排水枝管など、水の勢いが強い（流量および流速が大きい）排水管に接続される流入口に向かって取り付けられる。これによって、当該流入口からの排水が流出口に導かれると共に、一方の流入口から他の流入口への排水の越流が防止される。一方、仕切板は、たとえば、１階に設置されるトイレと繋がる排水枝管など、水の勢いが弱い（流量および流速が小さい）排水管と接続される流入口の対向位置には取り付けられないようにされる。これによって、当該流入口からの排水の通路が確保される。このため、当該流入口からます本体内に汚物等の固形物が塊となって流入しても、仕切板に汚物が引っかかって合流ます延いては排水管が詰まることが防止される。また、仕切板が対向配置されない流入口は、水の勢いが弱い排水管に接続されるので、越流も発生し難い。
【００１４】
第１の発明によれば、仕切体には、複数の流入口のいずれかに向けて選択的に取り付け可能に仕切板が設けられる。このため、仕切板が対向配置されない流入口から流入する排水については、ます本体内に広い流路が確保される。したがって、流入口からます本体内に固形物が塊となって流入しても、ます本体内における詰まりの発生が防止され、排水を適切に排出できる。また、仕切板の取り付け位置を変えることで、様々な配管状況に対応できるので、配管の自由度が高い。
【００１７】
第２の発明は、第１の発明に従属し、仕切体は、ます本体に対して周方向に回転可能に装着され、当該仕切体が回転することによって仕切板の周方向位置が変えられる。
【００１８】
第２の発明では、仕切体は、ます本体に対して周方向に回転可能に装着される。そして、仕切体を回転させることによって、仕切板の周方向位置が変えられる。
【００１９】
第２の発明によれば、仕切体の回転によって、仕切板が取り付けられる周方向位置を容易に変えることができる。
【００２０】
第３の発明は、第１の発明に従属し、仕切板は、保持部に着脱自在に取り付けられ、保持部に対する取り付け位置を変えることによって周方向位置が変えられる。
【００２１】
第３の発明では、仕切板は、保持部に着脱自在に取り付けられる。そして、保持部に対する仕切板の取り付け位置を変えることによって、仕切板の周方向位置が変えられる。
【００２２】
第３の発明によれば、仕切板の着脱によって、仕切板が取り付けられる周方向位置を容易に変えることができる。また、施工現場の配管状況に応じて、保持部に取り付けられる仕切板の数を適宜変更することができるので、配管の自由度がさらに高まる。
第４の発明は、１つの流出口と周方向に並ぶ複数の流入口とを有するます本体と、ます本体内に装着される仕切体とを備え、建物の床下に設置される合流ますであって、仕切体は、複数の流入口のいずれか１つに向けて選択的に取り付け可能であって、選択した流入口からます本体内に流入する排水を流出口に導く１つの仕切板と、仕切板をます本体内の所定位置で保持するための保持部とを有し、仕切板は、選択した流入口に対向する主面を有し、主面は、選択した流入口から流入する排水を案内して、当該排水の流れ方向を下向きに変化させ、仕切体は、１つの仕切板とは独立に、２階以上の階からの排水が流入する流入口に向けて選択的に取り付けられる第２の仕切板をさらに有する、合流ますである。
【００２３】
第５の発明は、１つの流出口と周方向に並ぶ複数の流入口とを有するます本体と、ます本体内に装着される仕切体とを備え、建物の床下に設置される合流ますであって、仕切体は、複数の流入口のいずれかに向けて選択的に取り付け可能であって、当該流入口からます本体内に流入する排水を流出口に導く仕切板と、仕切板をます本体内の所定位置で保持するための保持部とを有し、保持部は、仕切板の上方を覆うように当該仕切板の上端部を保持する板状部材であって、厚み方向に貫通する開口部を有する、合流ますである。
【００２４】
第５の発明では、合流ますは、ます本体と、ます本体内に装着される仕切体とを備え、建物の床下などに設置される。ます本体は、１つの流出口と周方向に並ぶ複数の流入口とを有する。たとえば、流出口には、生活排水を外部に排出する排水主管が接続され、流入口には、トイレや風呂などの住設機器と繋がる排水枝管が接続される。仕切体は、仕切板および保持部を含む。仕切板は、複数の流入口のいずれかに向けて選択的に取り付け可能である。保持部は、その仕切板をます本体内の所定位置で保持する。また、保持部は、仕切板の上方を覆うように設けられて、当該仕切板の上端部を保持する。保持部は、円盤状などの板状に形成され、厚み方向に貫通する開口部を有する。
【００２５】
第５の発明によれば、仕切体には、複数の流入口のいずれかに向けて選択的に取り付け可能に仕切板が設けられる。このため、仕切板が対向配置されない流入口から流入する排水については、ます本体内に広い流路が確保される。したがって、流入口からます本体内に固形物が塊となって流入しても、ます本体内における詰まりの発生が防止され、排水を適切に排出できる。また、仕切板の取り付け位置を変えることで、様々な配管状況に対応できるので、配管の自由度が高い。また、保持部には、開口部が形成されているので、ます本体内の通気を確保することができる。
【００２６】
第６の発明は、第５の発明に従属し、開口部は、流入口の軸線方向から側方にずれた位置において保持部に形成される。
【００２７】
第６の発明では、ます本体に対して仕切体を取り付けたときに、ます本体の流入口の軸線方向から側方にずれた位置、つまり流入口の中心軸の延長線上から側方にずれた位置に開口部がくるように、保持部に対して開口部が形成される。つまり、流入口の軸線方向には開口部は形成されない。
【００２８】
第６の発明によれば、仕切板の裏面に当たって跳ね返った排水が開口部を通過して保持部よりも上方に飛散することを防止または低減でき、排水の飛散による蓋の汚れや、一方通気弁の詰まりをより適切に防止できる。
【００２９】
第７の発明は、第５または第６の発明に従属し、保持部は、開口部に向かう下り勾配となる傾斜面を有する。
【００３０】
第７の発明によれば、開口部に向かう下り勾配となる傾斜面が保持部に形成されているので、仮に流入口からの排水が保持部よりも上方に飛散した場合であっても、その排水を開口部から下方に排出させることができる。
【００３１】
第８の発明は、第１ないし第７のいずれかの発明に従属し、ます本体の上部点検口に設けられる蓋、および蓋と仕切体との間に設けられて当該仕切体の上方を覆う有孔遮閉板をさらに備える。
【００３２】
第８の発明では、合流ますは、ます本体の上部点検口に設けられる蓋、および蓋と仕切体との間に設けられる遮閉板をさらに備える。遮閉板は、仕切体の上方を覆うように設けられる。これによって、流入口からの排水が遮閉板よりも上方に飛散することが防止される。また、遮閉板には孔が形成される。これによって、ます本体内の通気が確保される。
【００３３】
第８の発明によれば、遮閉板より上方への排水の飛散が防止されるので、蓋の汚れが防止される。特に、通気弁を備える蓋の場合には、通気弁の詰まりが防止される。
【発明の効果】
【００３４】
この発明によれば、仕切体には、複数の流入口のいずれかに向けて選択的に取り付け可能に仕切板が設けられる。このため、仕切板が対向配置されない流入口から流入する排水については、ます本体内に広い流路が確保される。したがって、流入口からます本体内に固形物が塊となって流入しても、ます本体内における詰まりの発生が防止され、排水を適切に排出できる。また、仕切板の取り付け位置を変えることで、様々な配管状況に対応できるので、配管の自由度が高い。
【００３５】
この発明の上述の目的，その他の目的，特徴および利点は、図面を参照して行う以下の実施例の詳細な説明から一層明らかとなろう。
【図面の簡単な説明】
【００３６】
【図１】この発明の一実施例の合流ますによって排水主管と排水枝管とを接続した状態を示す断面図である。
【図２】図１の合流ますを示す断面図である。
【図３】図１の合流ますを示す斜視図である。
【図４】図１の合流ますが備えるます本体を示す斜視図である。
【図５】図４のます本体を示す平面図である。
【図６】図５のVI−VI線におけるます本体の断面を示す断面図である。
【図７】図１の合流ますが備える仕切体を示す斜視図である。
【図８】図７の仕切体を示す平面図である。
【図９】図７の仕切体を示す側面図である。
【図１０】図７の仕切体を示す正面図である。
【図１１】図１の合流ますが備える遮閉板を示す斜視図である。
【図１２】図１１の遮閉板を仕切体に取り付けた状態を示す斜視図である。
【図１３】図１の合流ますが備える蓋を示す斜視図である。
【図１４】図１４の蓋を示す平面図である。
【図１５】図１４の蓋を示す側面図である。
【図１６】仕切体の他の一例を示す斜視図である。
【図１７】図１６の仕切体を示す側面図である。
【図１８】図１６の仕切体を示す底面図である。
【図１９】仕切体のさらに他の一例を示す斜視図である。
【図２０】図１９の仕切体を示す側面図である。
【図２１】図１９の仕切体を示す底面図である。
【図２２】仕切体のさらに他の一例を示す斜視図である。
【図２３】図２２の仕切体を示す平面図である。
【図２４】図２２の仕切体を示す側面図である。
【図２５】図２２の仕切体を示す正面図である。
【図２６】保持部に２つの仕切板を取り付けた際の図２２の仕切体を示す斜視図である。
【図２７】仕切体のさらに他の一例を示す斜視図である。
【図２８】図２７の仕切体を示す側面図である。
【図２９】図２７の仕切体を示す正面図である。
【図３０】図２７の仕切体が備える保持部を示す斜視図である。
【図３１】図２７の仕切体が備える仕切板を示す斜視図である。
【発明を実施するための形態】
【００３７】
図１を参照して、この発明の一実施例である合流ます１０は、戸建住宅などの１階の床下空間１１０に設置されて、トイレや風呂などの住設機器から排出された汚水や雑排水などの排水を流す複数の排水枝管１２０と、排水を外部に排出する排水主管１１６とを繋ぐ。図１−図３に示すように、合流ます１０は、ます本体１２、仕切体１４および蓋１６を含み、塩化ビニル等の合成樹脂によって形成される。合流ます１０は、ます本体１２の側方から流入した排水をます本体１２の下方へ排出する、いわゆるドロップますである。
【００３８】
図４−図６に示すように、ます本体１２は、射出成形などによって形成され、円筒形状の側壁部１８を含む。側壁部１８の内径は、たとえば１５５ｍｍである。側壁部１８の外面には、上下方向に延びる複数のリブ２０が設けられており、このリブ２０によって側壁部１８の剛性が高められると共に、軽量化が図られる。側壁部１８の上端は開口しており、そこに上端開口２２が形成される。上端開口２２には、外側に向かって突出する係合部２４が設けられ、後述する蓋１６が着脱自在に接続される。蓋１６を取り外した際には、上端開口２２は点検口として利用される。
【００３９】
側壁部１８の下部には、テーパ状の底壁部２６が形成され、底壁部２６の上面、すなわちます本体１２の底面は中心方向に向かって下り勾配となる。側壁部１８の上端から底壁部２６の下端までの高さ（つまり、基礎１１４から出るます本体１２の高さ）は、たとえば１５０ｍｍに設定される。また、底壁部２６の中心には、円筒形状の流出口２８が下側に延びて形成される。流出口２８の外径は、排水主管１１６の内径と同じ或いはほぼ同じであって、たとえば１０６ｍｍである。流出口２８の高さは、たとえば４０ｍｍに設定される。
【００４０】
また、側壁部１８には、段差部３０が設けられ、段差部３０側を除く３方側のそれぞれに、流入口３２が設けられる。段差部３０は、側壁部１８の内面に沿って突出するように設けられ、その両側端上部のそれぞれは段差状になっており、そこに第１支持部３０ａが形成される。また、側壁部１８の内面には、内側に向けて突出する第２支持部３４が後述する流入口３２の開口３２ａよりも高い位置に設けられる。この第２支持部３４は、第１支持部３０ａ同士を結ぶように円弧状に形成され、第２支持部３４の上面は、第１支持部３０ａの水平面と同一面となる。
【００４１】
流入口３２は、受口構造を有する円筒形状に形成され、その内径はたとえば９０ｍｍである。また、流入口３２の外面端部には、係止溝３６が設けられる。
【００４２】
このようなます本体１２の内部には、仕切体１４が着脱自在に設けられる。図７−図１０に示すように、仕切体１４は、射出成型などによって形成され、仕切板３８および保持部４０を備える。
【００４３】
保持部４０は、円盤状の板状部材であって、その一方端部の下面には仕切板３８が一体的に形成される。また、保持部４０は、フランジ部４２を有する。
【００４４】
フランジ部４２は、保持部４０の外周縁に沿って環状に形成され、その上面および下面は水平面とされる。フランジ部４２の仕切板３８が形成される周方向と同一方向の端部上面には、仕切板３８が向けられる方向を示す目印となる表示部４４が設けられる。この実施例では、表示部４４には、「２Ｆトイレ」の文字および矢印が表示されている。表示部４４は、仕切体１４の成型時にあらかじめ形成したり、シールを貼り付けたりすること等によって設けられる。合流ます１０の設置時には、この表示部４４を目印として、表示部４４の位置と、後述する第１排水枝管１２０ａに接続される流入口３２の位置とが一致するように、ます本体１２に仕切体１４が取り付けられる。これによって、仕切板３８の位置と流入口３２の位置とが合うので、仕切板３８の取り付け位置の間違いが防止される。
【００４５】
フランジ部４２の周側面には、外方に向けて突出する平面視略台形状の４つの突起部４６が回転対称となるように９０°間隔で形成される。仕切体１４をます本体１２に取り付けるときには、この突起部４６が、段差部３０および３つの流入口３２が形成される４つの各方向の間に配置されて、ます本体１２側の第１支持部３０ａおよび第２支持部３４によって支持される。このような突起部４６を有する保持部４０によって、仕切板３８がます本体１２内の所定位置に保持される。また、突起部４６は回転対称に形成されるので、仕切体１４はます本体１２に対して周方向に回転可能に装着される。さらに、隣り合う突起部４６の側縁とその間のフランジ部４２の側縁とで形成される凹形状と、段差部３０の凸形状とは略同じに形成される。このため、隣り合う突起部４６間に段差部３０が嵌合することで、仕切体１４の意図しない回転が防止される。
【００４６】
また、各突起部４６の上面には、上方に向けて突出する小円形状の凸部４６ａが形成され、この凸部４６ａは、後述する遮閉板４８の周端部の下面に形成される凹部（図示せず）と嵌合する。
【００４７】
なお、フランジ部４２の外径は、たとえば１４２ｍｍであって、突起部４６の頂点位置における外径は、たとえば１５２ｍｍである。突起部４６の頂点位置における外径は、ます本体１２の側壁部１８の内径（１５５ｍｍ）よりも若干小さく設定される。これは、ます本体１２に仕切体１４を取り付け易くするためである。
【００４８】
また、保持部４０には、厚み方向（上下方向）に貫通する開口部５０が形成される。開口部５０は、平面視略真円形状であって、保持部４０の仕切板３８が形成される周方向と反対方向の端部寄りに形成される。開口部５０の径は、たとえば３５ｍｍである。この開口部５０を介して、ます本体１２内の保持部４０より上側と下側とは連通しており、ます本体１２内の空気は循環可能である。さらに、開口部５０は、ます本体１２に仕切体１４を着脱する際の取っ手としても機能する。
【００４９】
また、保持部４０は、開口部５０に向かって下方に凹むテーパ状に形成され、保持部４０の上面は、この開口部５０に向かって下り勾配となる傾斜面とされる。傾斜角度は、特に限定されないが、この実施例では、仕切板３８側の傾斜面の傾斜角度は水平方向に対して１０°であり、その反対側の傾斜面の傾斜角度は水平方向に対して３０°である。このように、保持部４０に開口部５０およびその開口部５０に向かって下り勾配となる傾斜面を形成することで、仮に、保持部４０よりも上方に流入口３２からの排水が飛散した場合であっても、排水は保持部４０の上面に形成される傾斜面を伝って開口部５０から下方に排出される。
【００５０】
仕切板３８は、保持部４０の一方端部から下方に向けて延びるように形成される。この実施例では、仕切体１４に仕切板３８を１つだけ設けた。仕切板３８は、流入口３２に対向する主面５２を有する。主面５２は、その下端中央５２ａから上方および両側方に向かうに伴い、流入口３２に向かって湾曲する板状体に形成される。また、仕切板３８の上端部中央のます本体１２中心側（裏面）と、保持部４０の仕切板３８側の端部中央の下面とは、支持片５６を介して連結されている。
【００５１】
支持片５６は、側面視略三角形状の板状体に形成され、仕切板３８および保持部４０と直交するように、仕切板３８の上端部のます本体１２中心側（裏面）と、保持部４０の仕切板３８側の端部の下面との間に設けられる。
【００５２】
仕切板３８の側面上部５２ｂは、保持部４０の下面と連結される。側面上部５２ｂは、流入口３２のます本体１２中心側の開口３２ａの曲率と同程度の曲率で湾曲するように形成され、流入口３２の開口３２ａの上側部分において、ます本体１２の側壁部１８の内面に沿う。つまり、仕切板３８の側面上部５２ｂとます本体１２とは近接している。仕切板３８の高さ（上下方向の長さ）は、たとえば１００ｍｍであって、流入口３２の内径よりも大きく設定される。したがって、流入口３２の底面よりも仕切板３８の下面の方が低くなる。このような仕切板３８（具体的には主面５２）は、流入口３２から流入する排水を案内して、排水の流れ方向を流出口２８の方向、すなわち下向きにスムーズに変化させる案内機能を有し、他の流入口３２への排水の逆流を防止する。
【００５３】
また、仕切板３８の側面下部５２ｃは、下端に向かうに伴います本体１２の中心方向に向かって放物線を描くように湾曲する。つまり、仕切板３８の側面下部５２ｃとます本体１２の側壁部１８の内面とは離れており、その間には空間５８が形成される。この空間５８は、仕切板３８によって区画される排水の通路を、ます本体１２内の他の通路と周方向に連通させる。
【００５４】
また、ます本体１２内には、後述する蓋１６と仕切体１４との間に、遮閉板４８が設けられる。図１１および図１２に示すように、遮閉板４８は、円盤状に形成される板状部材であって、仕切体１４の上方を覆うように設けられる。遮閉板４８には、厚み方向に貫通する４つの孔６０が周方向に並んで９０°間隔で形成される。各孔６０の径は、たとえば２５ｍｍである。遮閉板４８にこのような孔６０を形成することで、ます本体１２内の通気が確保される。遮閉板４８の外径は、たとえば１５２ｍｍであって、ます本体１２の側壁部１８の内径（１５５ｍｍ）よりやや小さく設定され、保持部４０の最大径、つまり突起部４６の頂点位置における径と一致する。遮閉板４８の周端部の下面には、保持部４０の各突起部４６の上面に形成される４つの凸部４６ａと対向する位置において、４つの凹部（図示せず）が形成される。そして、遮閉板４８の凹部を保持部４０の凸部４６ａに嵌め込むことにより、遮閉板４８が仕切体１４に装着される。これによって、保持部４０と遮閉板４８との周方向位置がずれないようにされる。遮閉板４８を仕切体１４に装着した際には、孔６０が形成される４つの方向は、保持部４０に突起部４６が形成される４つの方向と一致する。つまり、遮閉板４８の孔６０が形成される４つの方向は、保持部４０の開口部５０が形成される周方向位置と一致しないようにされる。このように、仕切体１４の上方を遮閉板４８によって覆うことで、仮に、保持部４０のフランジ部４２とます本体１２の側壁部１８との間の隙間を通過して排水が保持部４０よりも上方に飛散した場合であっても、その排水が遮閉板４８より上方に飛散することが防止される。
【００５５】
また、ます本体１２の上部には、蓋１６が着脱自在に設けられる。図１３−図１５に示すように、蓋１６は、射出成形などによって形成され、有頂円筒状の内筒部６２を備える。内筒部６２の外面には、鍔部６４が形成され、この鍔部６４の下面がます本体１２の上端開口２２と当接する。鍔部６４の下面から内筒部６２の上面までの高さは、たとえば４０ｍｍである。また、内筒部６２の内側面下部には、ねじ溝（図示せず）が形成される。さらに、内筒部６２には、鍔部６４よりも高い位置に、後述する一方通気弁６６の連通孔（図示せず）と外部とを連通する通気孔６８が設けられる。
【００５６】
また、鍔部６４の下面には、円筒形状の外筒部７０が形成される。外筒部７０の外面は、ます本体１２の側壁部１８の内面に沿い（図２参照）、外筒部７０の外面に装着されるＯリング７２によって、ます本体１２の側壁部１８と外筒部７０の外面との間の気密性および水密性が保たれる。また、鍔部６４には、鍔部６４の端部と一体となって「コ」字状の断面形状を有する受部７４が形成され、受部７４上方の鍔部６４には、確認孔７６が形成される。
【００５７】
ます本体１２に蓋１６を取り付けるときには、ます本体１２の上端開口２２に蓋１６の外筒部７０を挿入し、受部７４の側方からます本体１２の係合部２４を回し込むように、受部７４に係合部２４を挿入する。その際、外筒部７０の下面７０ａは、仕切体１４の上方を覆う遮閉板４８の周端部の上面と当接する（図２参照）。つまり、遮閉板４８を装着した仕切体１４と蓋１６とをます本体１２に取り付けたとき、仕切体１４の保持部４０に形成される突起部４６がます本体１２の第１支持部３０ａおよび第２支持部３４によって支持されると共に、遮閉板４８の周端部の上面が蓋１６の外筒部７０によって押さえ込まれる状態となる。このように、一体化された仕切体１４および遮閉板４８をます本体１２と蓋１６とによって挟むことで、仕切体１４および遮閉板４８がしっかりと固定され、ます本体１２への排水流入時に排水が仕切板３８にぶつかる等しても、仕切体１４はがたつかない。
【００５８】
また、蓋１６には一方通気弁６６（図２参照）が設けられる。一方通気弁６６は、蓋１６とは別体として形成されて、蓋１６の内筒部６２の内部に取り付けられる。
【００５９】
このような合流ます１０は、上述したように戸建住宅などの１階の床下空間１１０に設置される。具体的には、図１に示すように、基礎壁１１２近くの基礎１１４上に合流ます１０を配管する。合流ます１０を配管する際には、基礎１１４を貫通する排水主管１１６の端部に９０°エルボ等の曲がり継手１１８の一方端を接続し、その曲がり継手１１８の他端に流出口２８を接着接合等することによって、合流ます１０と排水主管１１６とを接続する。排水主管１１６は、基礎１１４を貫通して下水管（図示せず）などに繋がる管であって、合成樹脂などで形成される直管または可とう性を有する管などが用いられる。
【００６０】
また、流入口３２には、接着接合等によって排水枝管１２０を接続する。排水枝管１２０は、住設機器（図示せず）と繋がる管であって、合成樹脂などで形成される直管または可とう性を有する管などが用いられる。この実施例では３つの流入口３２を有するので、合流ます１０には３つの排水枝管１２０が接続される。３つの流入口３２のうち１つは、たとえば、２階または３階に設置される節水型トイレ（図示せず）と繋がる第１排水枝管１２０ａに接続される。また、それ以外の２つの流入口３２は、１階に設置される節水型トイレ（図示せず）と繋がる第２排水枝管（図示せず）や、台所と繋がる第３排水枝管（図示せず）に接続される。なお、合流ます１０に２つの排水枝管１２０を接続し、排水枝管１２０を接続しない流入口３２があるような場合には、係止溝３６を利用して流入口３２にキャップ（図示せず）が取り付けられ、排水の外部への流出が防止される。仕切体１４は、第１排水枝管１２０ａに接続される流入口３２に仕切板３８の主面５２が向くように、ます本体１２内に装着される。つまり、第２排水枝管または第３排水枝管に接続される流入口３２の対向位置には、仕切板３８が取り付けられないようにされる。このとき、上述のように、保持部４０の上面には、仕切板３８が向けられる方向を示す目印となる表示部４４が設けられていることによって、仕切板３８を取り付ける周方向位置の間違いが防止される。
【００６１】
ここで、２階または３階に設置される節水型トイレと繋がる第１排水枝管１２０ａの排水は、その高低差により水の勢いが強い（流速が大きい）ので、汚物がスムーズに搬送されるが、第１排水枝管１２０ａに接続される流入口３２から他の流入口３２への越流が発生し易い。このため、上述のように、仕切体１４は、第１排水枝管１２０ａに接続される流入口３２に仕切板３８の主面５２が向くように、ます本体１２内に装着される。これにより、当該流入口３２からます本体１２に排水が流入するとき、排水は仕切板３８の案内機能によって流れ方向を下向きに変え、流出口２８からスムーズに流出し、排水主管１１６を介して下水管等へ排出される。また、他の流入口３２への越流が防止される。
【００６２】
一方、１階に設置される節水型トイレと繋がる第２排水枝管（図示せず）の排水は、水に勢いがない（流速が小さい）ので、汚物がスムーズに搬送され難く、第２排水枝管に接続される流入口３２からは、排水管に堆積した汚物が塊となって合流ますに流入してくる場合がある。このため、上述のように、第２排水枝管に接続される流入口３２の対向位置には仕切板３８が取り付けられないようにされる。これによって、当該流入口３２からの排水には広い通路が確保され、当該流入口３２からます本体１２内に汚物が塊となって流入しても、仕切板３８に汚物が引っかかって合流ます１０延いては第２排水枝管が詰まることが防止される。また、水の勢いが弱いので他の流入口３２への越流は発生し難い。
【００６３】
なお、合流ます１０の出荷時には、ます本体１２の流入口３２がない方向に仕切板３８の主面５２が向くように、仕切体１４がます本体１２内に装着される。そして、合流ます１０の設置時には、ます本体１２に対して仕切体１４を周方向に回転させることによって、仕切板３８の主面５２が所定の方向に向くように、仕切板３８の周方向位置が変えられる。こうすることで、仮に、合流ます１０の設置時に、仕切板３８の周方向位置を変え忘れたとしても、第２排水枝管または第３排水枝管に接続される流入口３２を向くように仕切板３８が誤って取り付けられることが防止される。また、２階にトイレが設置されていない建物の場合のように、水の勢いが強い第１排水枝管１２０ａを合流ます１０に接続する必要がない場合には、流入口３２がない方向に仕切板３８の主面５２を向けた状態にしておくとよい。
【００６４】
以上のように、この実施例によれば、仕切体１４には、複数の流入口３２のいずれかに向けて選択的に取り付け可能に仕切板３８が設けられる。このため、仕切板３８が対向配置されない流入口３２から流入する排水については、ます本体１２内に広い流路が確保される。したがって、流入口３２からます本体１２内に汚物等の固形物が塊となって流入しても、ます本体１２内における詰まりの発生が防止され、排水を適切に排出できる。また、仕切板３８の取り付け位置を変えることで、様々な配管状況に対応できるので、配管の自由度が高い。
【００６５】
また、仕切体１４は、ます本体１２に対して周方向に回転可能に装着されるので、仕切体１４の回転によって、仕切板３８が取り付けられる周方向位置を容易に変えることができる。
【００６６】
さらに、ます本体１２の或る方向に凸形状の段差部３０を設けると共に、その段差部３０の対向位置が略同じ凹形状に形成される保持部４０を仕切体１４に設けたので、ます本体１２に仕切体１４を取り付けるときの位置合わせを容易に行うことができる。
【００６７】
また、保持部４０には、開口部５０を形成したので、ます本体１２内の通気を確保することができる。さらに、保持部４０には、その開口部５０に向かって下り勾配となる傾斜面を形成したので、仮に流入口３２からの排水が保持部４０よりも上方に飛散した場合であっても、その排水を開口部５０から下方に排出させることができる。
【００６８】
さらにまた、蓋１６と仕切体１４との間に遮閉板４８を設けたので、流入口３２からの排水が遮閉板４８よりも上方に飛散することを防止できる。これによって、排水の飛散による蓋１６の汚れや、一方通気弁６６の詰まりが防止される。
【００６９】
なお、上述の実施例では、仕切体１４に仕切板３８を１つだけ設けたが、仕切体１４に設けられる仕切板３８の数は、必ずしも１つに限定されない。図示は省略するが、たとえば、仕切体１４に２つの仕切板３８を設けることもできる。ます本体１２の２つの流入口３２が、２階に設置されるトイレに繋がる第１排水枝管１２０ａと、３階に設置されるトイレに繋がる第１排水枝管１２０ａとにそれぞれ接続されているような場合には、２つの仕切板３８を有する仕切体１４を用意する。そして、当該２つの流入口３２に仕切板３８の主面５２が向くように、仕切体１４がます本体１２内に装着される。この場合でも、複数の流入口３２のいずれかに向けて選択的に取り付け可能に仕切板３８が設けられるので、排水を適切に排出できる。
【００７０】
また、上述の実施例では、仕切体１４の上方に遮閉板４８を設けることによって、流入口３２からの排水が上方に飛散することを防止するようにしたが、これに限定される必要はない。つまり、仕切体１４の上方には必ずしも遮閉板４８を設ける必要はなく、流入口３２からの排水が上方に飛散することを保持部４０によって防止するようにしてもよい。
【００７１】
たとえば、図１６−図１８に示すように、保持部４０に庇部７８を一体的に形成することによって、排水の上方への飛散を防止してもよい。具体的には、図１６に示す実施例では、保持部４０は、円盤状の板状部材であって、その周方向の一方端部の下面には仕切板３８が一体的に形成される。
【００７２】
保持部４０は、環状のフランジ部４２を有する。また、保持部４０のフランジ部４２より上側には、その全周にわたって外方に向かって突出する庇部７８が形成される。庇部７８の下面には、フランジ部４２の周側面から外方に向けて突出するように、底面視略台形状の４つの突起部４６が回転対称となるように９０°間隔で形成される。突起部４６の頂点位置は庇部７８の外周縁上にくるようにされる。仕切体１４をます本体１２に取り付けるときには、この４つの突起部４６が、段差部３０および３つの流入口３２が形成される４つの各方向の間に配置されて、ます本体１２側の第１支持部３０ａおよび第２支持部３４によって支持される。庇部７８の外径は、たとえば１５２ｍｍであり、ます本体１２の側壁部１８の内径（１５５ｍｍ）よりも若干小さく設定される。保持部４０にこのような庇部７８を設けることで、フランジ部４２とます本体１２の側壁部１８との間の隙間を通過して排水が保持部４０よりも上方に飛散することが防止される。
【００７３】
保持部４０は、下方に向かって凹むテーパ状とされ、その中央部分には厚み方向に貫通する平面視略真円形状の開口部５０が形成される。開口部５０の径は、たとえば３５ｍｍである。
【００７４】
また、保持部４０の上面は、この開口部５０に向かって下り勾配となる傾斜面とされる。傾斜角度は、特に限定されないが、この実施例では、水平方向に対して２０°である。
【００７５】
図１６に示す実施例においても、上述の実施例と同様に、仕切体１４には、複数の流入口３２のいずれかに向けて選択的に取り付け可能に仕切板３８を設けたので、流入口３２からの排水を適切に排出することができる。
【００７６】
また、仕切体１４の回転によって、仕切板３８が取り付けられる周方向位置を容易に変えることができる。
【００７７】
さらに、保持部４０に開口部５０を形成したので、ます本体１２内の通気を確保することができる。また、保持部４０には、その開口部５０に向かって下り勾配となる傾斜面を形成したので、仮に流入口３２からの排水が保持部４０よりも上方に飛散した場合であっても、その排水を開口部５０から下方に排出させることができる。
【００７８】
また、図１６に示す実施例では、保持部４０に庇部７８を一体的に設けたので、別部材の遮閉板４８を用いない場合でも、排水が上方に飛散し難い。これによって、排水の飛散による蓋１６の汚れや、一方通気弁６６の詰まりが防止される。
【００７９】
また、上述の各実施例では、保持部４０には、平面視略真円形状の１つの開口部５０を形成したが、保持部４０に形成される開口部５０の形状、位置および数などは必ずしもこれに限定される必要はない。
【００８０】
たとえば、図１９−図２１に示すように、保持部４０に、略矩形状の複数の開口部５０を形成するようにしてもよい。具体的には、図１９に示す実施例では、保持部４０は、円盤状の板状部材であって、その周方向の一方端部の下面には仕切板３８が一体的に形成される。保持部４０は、環状のフランジ部４２を有する。保持部４０のフランジ部４２より上側には、その全周にわたって外方に向かって突出する庇部７８が形成される。庇部７８の下面には、フランジ部４２の周側面から外方に向けて突出するように、底面視略台形状の４つの突起部４６が回転対称となるように９０°間隔で形成される。突起部４６の頂点位置は庇部７８の外周縁上にくるようにされる。
【００８１】
また、保持部４０は、下方に向かって凹むテーパ状とされ、保持部４０には、その中央部分を囲むように、平面視略矩形状の８つの開口部５０が放射状に形成される。
【００８２】
保持部４０の上面は、開口部５０に向かって下り勾配となる傾斜面とされる。傾斜角度は、特に限定されないが、この実施例では、水平方向に対して２０°である。また、保持部４０の開口部５０より内側部分（中央部分）は、中心に向かって膨らむ中空のドーム状に形成される。
【００８３】
図１９に示す実施例においても、上述の各実施例と同様に、仕切体１４には、複数の流入口３２のいずれかに向けて選択的に取り付け可能に仕切板３８を設けたので、流入口３２からの排水を適切に排出することができる。
【００８４】
また、図１９示す実施例では、保持部には、複数の開口部５０およびその開口部５０に向かって下り勾配となる傾斜面を形成したので、仮に流入口３２からの排水が保持部４０よりも上方に飛散した場合であっても、その排水を開口部５０から下方へとより適切に排出させることができる。また、開口部５０の形状を幅狭の略矩形状に形成したので、流入口３２から流入した固形物が開口部５０を通過して保持部４０よりも上方に飛散し難い。これによって、固形物の飛散による蓋１６の汚れや、一方通気弁６６の詰まりが防止される。
【００８５】
続いて、図２２−図２５を適宜参照して、仕切体１４の他の一例について説明する。図２２に示す仕切体１４は、保持部４０に対する仕切板３８の着脱によって、仕切板３８が取り付けられる周方向位置を変えられる点が、上述の仕切体１４と異なる。それ以外の構成については同様であるので、重複する部分については、同じ参照番号を用い、その説明を省略あるいは簡略化する。
【００８６】
図２２に示す実施例では、仕切体１４に設けられる保持部４０と仕切板３８とは別部材である。
【００８７】
保持部４０は、円盤状の板状部材であって、その周端縁には中心付近に向かって延びる３つのスリット８０が周方向に並ぶように９０°間隔で形成される。仕切体１４をます本体１２に取り付けるときには、このスリット８０が、ます本体１２の側壁部１８に形成される３つの流入口３２の各方向に配置される。そして、保持部４０には、この３つのスリット８０が形成される方向のいずれかの端部下面において、後述する仕切板３８が着脱自在に取り付けられる。保持部４０は、ます本体１２の側壁部１８に形成される段差部３０の対向位置、つまりスリット８０が形成されない方向の周端縁の一部に凹形状の切欠きを形成した形状とされる。仕切体１４をます本体１２に取り付けるときには、保持部４０の周端縁がます本体１２側の第１支持部３０ａおよび第２支持部３４によって支持されると共に、段差部３０とは当接しないようにされる。このような保持部４０によって、仕切板３８がます本体１２内の所定位置に保持される。さらに、保持部４０に形成される凹形状の切欠きと、段差部３０の凸形状とは略同じに形成される。このため、保持部４０の凹形状の切欠きに段差部３０が嵌合することで、仕切体１４の意図しない回転が防止される。
【００８８】
ここで、この実施例では、詳細は後述するように、仕切板３８の着脱によって、仕切板３８の周方向位置が変えられるようにしたので、ます本体１２に対する仕切体１４の周方向位置を変えなくてもよい。このため、この実施例では、保持部４０に回転対称の突起部４６を設けることなく、保持部４０の外側形状（外形）が、段差部３０が形成される高さ位置におけるます本体１２の内側形状（内形）に沿うようにした。これによって、別部材の遮閉板４８を用いない場合でも、保持部４０の周側縁とます本体１２の側壁部１８との間の隙間を通過して、排水が保持部４０よりも上方に飛散することが防止される。
【００８９】
なお、保持部４０の外径は、たとえば１５２ｍｍであって、ます本体１２の側壁部１８の内径（１５５ｍｍ）よりも若干小さく設定される。これは、ます本体１２に仕切体１４が取り付け易くするためである。
【００９０】
また、保持部４０の中心部分には、厚み方向に貫通する平面視略真円形状の開口部５０が形成される。開口部５０の径は、たとえば３５ｍｍである。この開口部５０を介して、ます本体１２内の保持部４０より上側と下側とは連通しており、ます本体１２内の空気は循環可能である。さらに、開口部５０は、ます本体１２に仕切体１４を着脱する際の取っ手としても機能する。
【００９１】
仕切板３８は、流入口３２に対向する主面５２および保持部４０のスリット８０に挿し込まれる挿込片８２を有し、保持部４０の３つのスリット８０が形成される方向のいずれかの端部下面に着脱自在に取り付けられる。
【００９２】
主面５２は、保持部４０の下面から下方に向けて延びるように設けられ、その下端中央５２ａから上方および両側方に向かうに伴い、流入口３２に向かって湾曲する板状体に形成される。
【００９３】
仕切板３８の側面上部５２ｂは、流入口３２のます本体１２中心側の開口３２ａと曲率と同程度の曲率で湾曲するように形成され、仕切板３８の側面上部５２ｂは、流入口３２の開口３２ａの上側部分において、ます本体１２の側壁部１８の内面に沿う。つまり、仕切板３８の側面上部５２ｂとます本体１２とは近接している。仕切板３８の高さ（上下方向の長さ）は、たとえば１００ｍｍであって、流入口３２の内径よりも大きく設定される。
【００９４】
また、仕切板３８の側面下部５２ｃは、下端に向かうに伴います本体１２の中心方向に向かってＳ字曲線を描くように湾曲する。つまり、仕切板３８の側面下部５２ｃとます本体１２の側壁部１８の内面とは離れており、その間には空間５８が形成される。
【００９５】
仕切板３８の上端部中央のます本体１２中心側（裏面）と、後述する挿込片８２との間には、支持片５６が形成される。支持片５６は、側面視略三角形状の板状体に形成され、仕切板３８および保持部４０と直交するように、仕切板３８の上端部中央のます本体１２中心側（裏面）と、挿込片８２との間に設けられる。
【００９６】
挿込片８２は、支持片５６の上端から上方に突出するように形成され、「Ｔ」字状の断面形状を有する。挿込片８２の上端部は、矩形状の板状部材であり、その幅方向（図２３の上下方向）の長さは、保持部４０のスリット８０の幅方向の長さよりもやや大きく設定される。また、挿込片８２の下端部は、四角柱状に形成され、その幅方向の長さは、スリット８０の幅方向の長さよりもやや小さく設定される。仕切板３８を保持部４０に取り付けるときには、この挿込片８２の下端部をスリット８０内に挿入する。すると、スリット８０を挟んだ保持部４０の両側、つまりスリット８０を隔てて向かい合う保持部４０の端縁によって、挿込片８２の上端部が係止される。これによって、仕切板３８が保持部４０に固定される。
【００９７】
このような仕切板３８は、保持部４０に着脱自在に取り付けられ、保持部４０に対する取り付け位置、つまり仕切板３８の挿込片８２を挿入するスリット８０を変えることによって、ます本体１２に対して周方向に回転可能である。合流ます１０の設置時には、仕切板３８は、第１排水枝管１２０ａに接続される流入口３２にその主面５２が向くように、保持部４０に取り付けられる。つまり、第２排水枝管または第３排水枝管に接続される流入口３２の対向位置には、仕切板３８が取り付けられないようにされる。
【００９８】
図２２に示す実施例においても、上述の実施例と同様に、仕切体１４には、複数の流入口３２のいずれかに向けて選択的に取り付け可能に仕切板３８が設けられる。このため、仕切板３８が対向配置されない流入口３２から流入する排水については、ます本体１２内に広い流路が確保される。したがって、流入口３２からます本体１２内に固形物が塊となって流入しても、ます本体１２内における詰まりの発生が防止され、排水を適切に排出できる。
【００９９】
また、図２２に示す実施例においても、上述の実施例と同様に、ます本体１２の或る方向に凸形状の段差部３０を設けると共に、その段差部３０の対向位置が略同じ凹形状に形成される保持部４０を仕切体１４に設けたので、ます本体１２に仕切体１４を取り付けるときの位置合わせを容易に行うことができる。
【０１００】
さらに、図２２に示す実施例では、仕切板３８は、保持部４０に着脱自在に取り付けられるので、仕切板３８の着脱によって、仕切板３８が取り付けられる周方向位置を容易に変えることができる。
【０１０１】
また、図２２に示す実施例では、保持部４０に回転対称の突起部４６を設けることなく、保持部４０の外側形状（外形）が、段差部３０が形成される位置におけるます本体１２の内側形状（内形）に沿うようにした。これによって、別部材の遮閉板４８を用いない場合でも、保持部４０の周側縁とます本体１２の側壁部１８との間の隙間を通過して、排水が保持部４０よりも上方に飛散することが防止される。
【０１０２】
なお、保持部４０に取り付けられる仕切板３８の数は、必ずしも１つに限定されない。たとえば、ます本体１２の２つの流入口３２が、２階に設置されるトイレに繋がる第１排水枝管１２０ａと、３階に設置されるトイレに繋がる第１排水枝管１２０ａとにそれぞれ接続されている場合には、２つの仕切板３８を用意する。そして、図２６に示すように、当該２つの流入口３２に仕切板３８の主面５２が向くように、２つの仕切板３８が保持部４０に取り付けられて、仕切体１４がます本体１２内に装着される。一方、ます本体１２のすべての流入口３２が、１階に設置される節水型トイレと繋がる第２排水枝管や、台所と繋がる第３排水枝管に接続されているような場合には、保持部４０に仕切板３８が取り付けられないようにされる。したがって、この実施例によれば、施工現場の配管状況に応じて、保持部４０に取り付けられる仕切板３８の数を適宜変更することができるので、配管の自由度がさらに高まる。
【０１０３】
また、図２２に示す実施例では、保持部４０のスリット８０に対して、仕切板３８の挿込片８２を挿入することにより、保持部４０に対して仕切板３８を取り付けるようにしたが、これに限定される必要はない。図示は省略するが、たとえば、保持部４０の下面には、下方に向けて突出し、先端部が「Ｌ」字状に曲がった鉤状に形成される係止部を設け、仕切板３８の上部には、その係止部と対向する位置において、上方に向けて突出し、先端部が逆「Ｌ」字状に曲がった鉤状に形成される係合部を設ける。そして、この係止部と係合部とを嵌合させることによって、保持部４０に対して仕切板３８を取り付けるようにしてもよい。要するに、保持部４０に対して仕切板３８を着脱可能に取り付けることができるのであればよい。
【０１０４】
さらに、図２２に示す実施例では、仕切体１４は、ます本体１２に対して周方向に回転不可としたが、これに限定される必要はない。たとえば図２７に示す実施例のように、仕切板３８の着脱によって、仕切板３８が取り付けられる周方向位置が変えられると共に、仕切体１４の回転によっても、仕切板３８が取り付けられる周方向位置を変えられるようにしてもよい。
【０１０５】
以下、図２７−図３１を適宜参照して、この発明の他の実施例である合流ます１０が備える仕切体１４の一例について説明する。図２７に示す仕切体１４は、ます本体１２に対して周方向に回転可能に装着され、かつ、仕切板３８が保持部４０に対して着脱自在に取り付けられる点が、上述の仕切体１４と異なる。それ以外の構成については同様であるので、重複する部分については、同じ参照番号を用い、その説明を省略あるいは簡略化する。
【０１０６】
図２７に示す実施例では、仕切体１４が備える保持部４０と仕切板３８とは、別部材によって構成される。
【０１０７】
図２７−図３０に示すように、保持部４０は、円盤状の板状部材であって、その周縁部には、外方に向かって突出する環状の庇部７８が形成される。また、庇部７８の下面には、底面視略台形状の４つの突起部４６が回転対称となるように９０°間隔で形成される。仕切体１４をます本体１２に装着するときには、この４つの突起部４６が、段差部３０および３つの流入口３２が形成される４つの各方向の間に配置されて、ます本体１２の第１支持部３０ａおよび第２支持部３４によって支持される。突起部４６は回転対称に形成されるので、仕切体１４は、ます本体１２に対して周方向に回転可能に装着される。また、隣り合う突起部４６間に段差部３０が嵌合することで、仕切体１４の意図しない回転が防止される。さらに、保持部４０に庇部７８を設けることで、フランジ部４２とます本体１２の側壁部１８との間の隙間を通過して排水が保持部４０よりも上方に飛散することが防止される。
【０１０８】
また、保持部４０の下面（裏面）には、仕切板３８を着脱自在に取り付けるための４つのレール部８４が、４つの突起部４６の間のそれぞれに、つまり周方向に９０°間隔で並ぶように形成される。各レール部８４は、互いに向かい合うように径方向に並行して設けられる、断面「Ｌ」字状の２つの係止片を有する。そして、これら係止片によって、径方向に延びる断面「Ｔ」字状の挿入路８４ａが形成される。このレール部８４の挿入路８４ａは、入口側（周縁側）の幅が最も大きく、奥側（中心側）に向かって徐々に幅が小さくなるように形成される。また、各レール部８４の両側には、レール部８４に取り付けた仕切板３８の抜けおよびがたつきを防止するための係止爪８６が設けられる。
【０１０９】
保持部４０の上面には、レール部８４が形成される周方向のいずれかにおいて、仕切板３８が向けられる方向を示す目印となる表示部４４が設けられる。この実施例では、基本的に、表示部４４に対応する位置に設けられるレール部８４に対して、仕切板３８が取り付けられる。そして、合流ます１０の設置時には、この表示部４４を目印として、表示部４４の位置と、第１排水枝管１２０ａに接続される流入口３２の位置とが一致するように、ます本体１２に対して仕切体１４が装着される。また、保持部４０の上面には、レール部８４に沿って延びる平面視十字状の突出部８８が形成される。この突出部８８は、仕切体１４ないし仕切板３８の周方向位置を示す第２の目印となる。このため、表示部４４と合わせて、或いは表示部４４の代わりに目印として突出部８８を利用することにより、仕切体１４をます本体１２に装着する際の周方向の位置合わせが容易となる。
【０１１０】
また、保持部４０には、その厚み方向に貫通する開口部５０が形成される。この実施例では、ます本体１２に対して仕切体１４を取り付けたときに、ます本体１２の各流入口３２の軸線方向（中心軸の延長線上）から側方にずれた位置に開口部５０がくるように、保持部４０に対して開口部５０が形成される。つまり、開口部５０は、流入口３２の軸線方向には形成されない。具体的には、この実施例では、平面視略角丸三角形状の４つの開口部５０が、突起部４６が形成される方向のそれぞれに、つまり周方向に９０°間隔で並ぶように、保持部４０の周縁部において形成される。開口部５０の大きさ（開口面積）および数は、必要通気量と取っ手機能とを考慮して設定される。たとえば、各開口部５０の開口面積を合わせた大きさは、少なくとも通気性能を確保できる大きさ（たとえば一方通気弁６６の連通孔と同等以上の大きさ）とされ、開口部５０の各々の大きさは、少なくとも取っ手機能を確保できる大きさ（たとえば作業者の指が入る大きさ）とされる。この開口部５０によって、ます本体１２内の保持部４０より上側と下側とは連通し、ます本体１２内の空気は循環可能となる。
【０１１１】
一方、仕切板３８は、図２７−図２９および図３１に示すように、流入口３２に対向する主面５２と、保持部４０のレール部８４に挿し込まれる挿込片８２とを有する。
【０１１２】
主面５２は、保持部４０の下面から下方に向けて延びるように設けられ、その下端中央５２ａから上方および両側方に向かうに伴い、流入口３２に向かって湾曲する板状体に形成される。仕切板３８の側面上部５２ｂは、流入口３２のます本体１２中心側の開口３２ａと曲率と同程度の曲率で湾曲するように形成され、仕切板３８の側面上部５２ｂは、流入口３２の開口３２ａの上側部分において、ます本体１２の側壁部１８の内面に沿う。また、仕切板３８の側面下部５２ｃとます本体１２の側壁部１８の内面とは離れており、その間には空間５８が形成される。
【０１１３】
仕切板３８の裏面と挿込片８２との間には、支持片５６が形成される。支持片５６は、側面視略三角形状の板状体に形成され、仕切板３８および保持部４０と直交するように設けられる。
【０１１４】
挿込片８２は、支持片５６の上端から上方に突出するように形成され、「Ｔ」字状の断面形状を有する。挿込片８２の形状および大きさは、レール部８４の挿入路８４ａの形状および大きさと略同じにされる。つまり、挿込片８２は、挿入方向後端側の幅が最も大きく、挿入方向先端側に向かって徐々に幅が小さくなるように形成される。このように、レール部８４の挿入路８４ａの入口側を大きく形成すると共に、挿込片８２の挿入方向先端側を小さく形成することによって、レール部８４に対する挿込片８２の取り付けが容易となる。また、仕切板３８の挿入方向を間違えることもなくなる。
【０１１５】
仕切板３８を保持部４０に取り付けるときには、仕切板３８をスライドさせて、挿入路８４ａの奥側端面と挿込片８２の先端とが当接するまで、レール部８４の挿入路８４ａ内に挿込片８２を挿入する。これによって、レール部８４と挿込片８２とが嵌合して、仕切板３８が保持部４０に固定される。また、挿入路８４ａの奥まで挿込片８２を挿入すると、保持部４０の係止爪８６と仕切板３８の係止爪９０とが係合する。これら係止爪８６,９０同士が係合することによって、仕切板３８の抜けが防止される。また、挿入路８４ａの奥側端面と係止爪８６との間で仕切板３８がしっかりと固定されることによって、仕切板３８のがたつきがより確実に防止される。
【０１１６】
図２７に示す実施例においても、上述の実施例と同様に、仕切体１４には、複数の流入口３２のいずれかに向けて選択的に取り付け可能に仕切板３８が設けられる。このため、仕切板３８が対向配置されない流入口３２から流入する排水については、ます本体１２内に広い流路が確保される。したがって、流入口３２からます本体１２内に固形物が塊となって流入しても、ます本体１２内における詰まりの発生が防止され、排水を適切に排出できる。
【０１１７】
また、図２７に示す実施例では、仕切体１４は、ます本体１２に対して周方向に回転可能に装着され、かつ、仕切板３８が保持部４０に対して着脱自在に取り付けられるので、仕切板３８を取り付ける周方向位置を変える際の自由度がより高まる。たとえば、保持部４０に対する仕切板３８の取り付けは、製品出荷前に製造工場などで行い、施工現場では、仕切体１４の回転によって、仕切板３８を取り付ける周方向位置を所望位置に変えるようにする。そして仮に、合流ます１０に対して２つの第１排水枝管１２０ａを接続するような場合には、仕切板３８を追加で別途用意して、施工現場において所望の周方向位置に仕切板３８を取り付ける、というような使用方法が可能となる。
【０１１８】
さらに、図２７に示す実施例では、流入口３２の軸線方向から側方にずれた位置において、保持部４０に対して開口部５０を形成し、流入口３２の軸線方向には開口部５０を形成しないようにした。ここで、仕切板３８を対向配置した流入口３２の反対側（対向位置）にある他の流入口３２に対して第２排水枝管１２０ｂが接続された場合、つまり仕切板３８の裏面に向かって排水を流入させる他の流入口３２があるような場合には、当該他の流入口３２からます本体１２内に流入した排水が、仕切板３８の裏面に当たって上側に飛散する可能性がある。このような場合、流入口３２の軸線方向に開口部５０が形成されていると、仕切板３８の裏面に当たって跳ね返った排水が、開口部５０を通って仕切板３８よりも上方に飛散してしまう恐れが生じる。これに対して、図２７に示す実施例では、開口部５０が流入口３２の軸線方向から側方にずれた位置に形成されていることから、仕切板３８の裏面に当たって跳ね返った排水は、開口部５０を通り難い。したがって、図２７に示す実施例によれば、仕切板３８の裏面に当たって跳ね返った排水が開口部５０を通過して保持部４０よりも上方に飛散することを防止または低減でき、排水の飛散による蓋１６の汚れや、一方通気弁６６の詰まりをより適切に防止できる。
【０１１９】
なお、図２、図１６、図１９および図２２に示す実施例においても、図２７に示す実施例と同様に、流入口３２の軸線方向から側方にずれた位置において開口部５０を形成し、流入口３２の軸線方向には開口部５０を形成しないようにすることもできる。また、図２７に示す実施例においても、保持部４０に対して、開口部５０に向かって下り勾配となる傾斜面を形成してもよい。
【０１２０】
なお、上述の各実施例において、保持部４０と仕切板３８との接続部分を可動式にすることによって、仕切板３８の裏面側の排水空間が広がるようにしてもよい。
【０１２１】
図示は省略するが、たとえば、図２２示す実施例において、仕切板３８は、保持部４０に対して、前後方向すなわち主面側および裏面側の水平方向にスライド可能に取り付けられるようにしてもよい。具体的には、仕切板３８の挿込片８２の下端部の幅方向の長さを、保持部４０のスリット８０の幅方向の長さよりも小さく設定することによって、スリット８０に対して挿込片８２が遊挿されるようにする。このとき、意図せずに保持部４０から仕切板３８が外れることを防止するために、スリット８０の開端には係止部が設けられる。仕切板３８の主面５２が向けられる流入口３２からます本体１２内に排水が流入した際には、水の勢いによって、仕切板３８が後方（裏面側）に移動すると共に、当該流入口３２から流入した排水が、仕切板３８によって流れ方向を下向きに変えられ、流出口２８から流出する。一方、仕切板３８が対向配置されない流入口３２から固形物が塊となってます本体１２内に流入した際には、仕切板３８のます本体１２本体中心側（裏面）に固形物が当たって、仕切板３８が前方（主面５２側）に移動する。これによって、仕切板３８の裏面側の排水空間が広がり、固形物がます本体１２内をスムーズに通過して流出口２８から排出される。なお、仕切板３８が保持部４０に対してスライド可能に取り付けられてもよいことは、図２７に示す実施例においても同様である。
【０１２２】
また、たとえば、図２、図１６および図１９に示す実施例において、保持部４０と仕切板３８との接続部分をヒンジ状に形成し、仕切板３８は、保持部４０に対して角度可変に設けられるようにしてもよい。この場合、仕切板３８の主面５２が向けられる流入口３２からます本体１２内に排水が流入した際には、仕切板３８は動かない。または、仕切板３８の主面５２側の排水空間を広げるように少しだけ後方（裏面側）へ動く。したがって、当該流入口３２から流入した排水は、仕切板３８によって流れ方向を下向きに変えられ、流出口２８からスムーズに流出する。一方、仕切板３８が対向配置されない流入口３２から固形物が塊となってます本体１２内に流入した際には、仕切板３８のます本体１２本体中心側（裏面）に固形物が当たって、仕切板３８が主面５２側に向かって傾く。つまり、保持部４０と仕切板３８の裏面とがなす角度は大きくなる。これによって、仕切板３８の裏面側の排水空間が広がり、固形物がます本体１２内をスムーズに通過して流出口２８から排出される。そして、固形物が排出されると、仕切板３８の傾き、つまり保持部４０と仕切板３８とがなす角度は元に戻る。
【０１２３】
なお、図２に示す実施例では、遮閉板４８に４つの孔６０を周方向に並ぶように形成したが、遮閉板４８に形成される孔６０の形状、位置および数などはこれに限定されない。
【０１２４】
また、図２に示す実施例では、保持部４０の突起部４６に形成される凸部４６ａと、遮閉板４８の周端部に形成される凹部とを嵌合させることにより、仕切体１４に対して遮閉板４８を装着するようにしたが、これに限定される必要はない。図示は省略するが、たとえば、保持部４０のフランジ部４２の上面の全周にわたって突起を形成すると共に、遮閉板４８の下面の対向位置に全周にわたって溝を形成し、保持部４０側の突起と遮閉板４８側の溝とが嵌合するようにしてもよい。さらに、遮閉板４８は必ずしも仕切体１４に取り付ける必要はなく、仕切体１４の上に載せるだけでもよい。
【０１２５】
さらにまた、遮閉板４８は必ずしも設けなくてもよいし、図１６、図１９、図２２および図２７に示す実施例において、遮閉板４８を設けるようにしてもよい。これらの実施例において遮閉板４８を設ける場合、保持部４０の開口部５０と遮閉板４８の孔６０とは、側方（横方向）にずれた位置に配置されることが好ましい。これによって、保持部４０の開口部５０を通って保持部４０よりも上方に排水が飛散した場合であっても、その排水は遮閉板４８によって堰き止められ、排水の上方への飛散がより確実に防止される。
【０１２６】
なお、保持部４０、仕切板３８および遮閉板４８の形状などは、上述のものに限定される必要はなく、適宜変更可能である。
【０１２７】
また、上述の実施例では、ます本体１２と蓋１６とによって、仕切体１４ないし遮閉板４８を挟んで固定するようにしたが、必ずしもこれに限定されない。図示は省略するが、たとえば、ます本体１２の側壁部１８の内面に「コ」字状の断面形状を有する嵌合部を形成し、その嵌合部の凹溝と嵌り合う突出部を仕切体１４の保持部４０ないし遮閉板４８の周側面に形成する。そして、ます本体１２の嵌合部の凹溝の側方（横）から仕切体１４の保持部４０ないし遮閉板４８の突出部を回し込むように挿入することによって嵌合部と突出部とを嵌め合い、嵌合部と突出部との嵌合によって仕切体１４を上下方向に固定するようにしてもよい。なお、保持部４０の突起部４６をこの突出部として機能させてもよい。また、もちろん、「コ」字状の断面形状を有する嵌合部を仕切体１４の保持部４０ないし遮閉板４８に設け、その嵌合部に嵌りあう突出部をます本体１２に設けるようにしてもよい。さらに、これらのような嵌合部を蓋１６に設け、蓋１６に仕切体１４ないし遮閉板４８を取り付けて固定することもできる。
【０１２８】
また、上述の実施例では、３つの流入口３２を設けたが、これに限定されず、２つの流入口３２を設けることもできるし、４つ以上の流入口３２を設けることもできる。この場合であっても、仕切体１４には、複数の流入口３２のいずれかに向けて選択的に取り付け可能に仕切板３８を設けるようにしたので、流入口３２からの排水を適切に排出することができる。また、段差部３０は、必ずしも設ける必要は無く、たとえばこの位置にさらに流入口３２を設けるようにしてもよい。この場合、段差部３０の第１支持部３０ａの代わりに、たとえば、ます本体１２の側壁部１８の内面の全周に亘って、第２支持部３４が形成されるようにしてもよい。
【０１２９】
さらにまた、蓋１６は必ずしも一方通気弁６６を備える必要はない。蓋１６に通気弁を設けない場合には、保持部４０ないし遮閉板４８の上側と下側とを通気させなくてもよいので、保持部４０の開口部５０および遮閉板４８の孔６０は必ずしも形成する必要はない。
【０１３０】
また、仕切体１４ないし遮閉板４８の上部には、つまみ部を設けるようにしてもよい。つまみ部を設けることによって、仕切体１４ないし遮閉板４８が持ち易くなり、仕切体１４の着脱をより容易に行うことができる。
【０１３１】
さらに、上述の実施例では、仕切体１４を塩化ビニル等の合成樹脂によって形成するようにしたが、仕切体１４は、弾性体によって形成するようにしてもよい。また、保持部４０と仕切板３８とは同一材料でなくてもよく、仕切板３８のみを弾性体としてもよい。
【０１３２】
また、上述の実施例では、ます本体１２、仕切体１４、遮閉板４８および蓋１６のそれぞれを別体として形成し、それぞれを着脱可能に取り付けるようにしたが、遮閉板４８は、仕切体１４と一体的に形成してもよい。また、仕切体１４および遮閉板４８は、ます本体１２と一体的に形成してもよいし、蓋１６と一体的に形成してもよい。
【０１３３】
さらに、上述の実施例では、合流ます１０として、ドロップますを用いるようにしたが、これに限定される必要はない。また、合流ます１０には、管継手も含まれる。
【０１３４】
なお、上述した径や高さ等の具体的数値は、いずれも単なる一例であり、必要に応じて適宜変更可能である。
【符号の説明】
【０１３５】
１０  …合流ます
１２  …ます本体
１４  …仕切体
１６  …蓋
２８  …流出口
３２  …流入口
３８  …仕切板
４０  …保持部
４８  …遮閉板
５０  …開口部
【図１】
0006639803.tif 000002
【図２】
0006639803.tif 000003
【図３】
0006639803.tif 000004
【図４】
0006639803.tif 000005
【図５】
0006639803.tif 000006
【図６】
0006639803.tif 000007
【図７】
0006639803.tif 000008
【図８】
0006639803.tif 000009
【図９】
0006639803.tif 000010
【図１０】
0006639803.tif 000011
【図１１】
0006639803.tif 000012
【図１２】
0006639803.tif 000013
【図１３】
0006639803.tif 000014
【図１４】
0006639803.tif 000015
【図１５】
0006639803.tif 000016
【図１６】
0006639803.tif 000017
【図１７】
0006639803.tif 000018
【図１８】
0006639803.tif 000019
【図１９】
0006639803.tif 000020
【図２０】
0006639803.tif 000021
【図２１】
0006639803.tif 000022
【図２２】
0006639803.tif 000023
【図２３】
0006639803.tif 000024
【図２４】
0006639803.tif 000025
【図２５】
0006639803.tif 000026
【図２６】
0006639803.tif 000027
【図２７】
0006639803.tif 000028
【図２８】
0006639803.tif 000029
【図２９】
0006639803.tif 000030
【図３０】
0006639803.tif 000031
【図３１】
0006639803.tif 000032